(57)【特許請求の範囲】
【請求項１】
家畜の下に敷く家畜用敷物であって、
矩形状をなす敷物本体の４隅部から突出した状態で取っ手が設けられていることを特徴とする家畜用敷物。
【請求項２】
家畜の下に敷く家畜用敷物であって、
矩形状をなす敷物本体と、
前記敷物本体に当該敷物本体の４隅部から突出させた状態で対角線状に交差して着けられ、縦長の楕円形状をなす１対の支持紐とを備え、
前記支持紐の敷物本体に着けられた部分が家畜を支持する支持部材としての機能を担う一方、前記支持紐の敷物本体の４隅部から突出した部分が取っ手としての機能を担うことを特徴とする家畜用敷物。
【請求項３】
前記敷物本体は、表側地と裏側地との周縁が接合されてなるカバー部と、該カバー部の内部に配置された弾力性を有する内部シートとを備えることを特徴とする請求項１または請求項２に記載の家畜用敷物。
【請求項４】
前記裏側地は、強靭性を有することを特徴とする請求項３に記載の家畜用敷物。
【請求項５】
前記表側地は、通気性を有することを特徴とする請求項３に記載の家畜用敷物。
【請求項６】
前記内部シートは、通気性を有する通気性シートと、弾力性を有する弾力性シートにより構成されてなることを特徴とする請求項３乃至請求項５のいずれか一つに記載の家畜用敷物。
【請求項７】
前記敷物本体は、柔軟性を有する柔軟性シートが表側面に交換可能に備えられていることを特徴とする請求項１乃至請求項６のいずれか一つに記載の家畜用敷物。
【請求項８】
前記敷物本体と前記柔軟性シートとは、同形状の矩形であり、
前記柔軟性シートは、各角部に係合部が設けられ、
該係合部は、前記柔軟性シートの角部を構成する２辺を伸縮性の係合紐により架橋してなることを特徴とする請求項７に記載の家畜用敷物。
【請求項９】
前記柔軟性シートは、表側面がパイル地であることを特徴とする請求項７または請求項８に記載の家畜用敷物。
【発明の詳細な説明】
【技術分野】
【０００１】
本発明は、家畜を敷物の上に載せた状態で、敷物と一緒に家畜を移動させることができる家畜用敷物に関する。
【背景技術】
【０００２】
近年、家畜（以下、ペットともいう）を家庭内で飼うことが多い。家庭内でペットを飼うときは、ペットの居場所に家畜用敷物を敷くことがある。このような家畜用敷物として、例えば、ペット用マットやペット用ベッドがある（例えば、特許文献２００４−０１６１４５号公報）。
【０００３】
老化したペットは家畜用敷物の上で寝ていたり、あるいは、寝そべっていたりする時間が多い。また、老化したペットは、家畜用敷物の上で殆ど動かない状態にいることも珍しくない。
【０００４】
そのため、寝た状態のままでペットを移動させたい場合がある。例えば、風呂場に連れて行きたいときや病院に連れて行くときに自家用車のあるガレージまで移動させるときなどである。老化したペットが自ら動けないときや寝ているときは、抱き上げて連れて行くことになる。
【０００５】
しかしながら、老化したペットを移動させるのは、相当な体力が必要であり、また、細心の注意が必要になる。すなわち、老化したペットは自ら動くことができないので、抱きかかえる必要があり移動させることが困難である。特に、大型のペットになると、さらに移動させることに困難を伴う。また、老化したペットは、骨等が軟弱化しているので無理な力をかけると骨折するおそれがあり、細心の注意が必要となる。したがって、ペットを家畜用敷物の上に載せた状態で、家畜用敷物ごと移動させる場合が多い。
【０００６】
図９は、従来の家畜用敷物に家畜を載せて持ち上げた状態の概略図である。ペット２００を家畜用敷物１００の上に載せ、両側に対向するようにして人が立ち、各人は一辺の両端を掴み家畜用敷物１００を持ち上げ、目的の場所まで移動させる。
【特許文献１】特開２００４−０１６１４５号公報
【発明の開示】
【発明が解決しようとする課題】
【０００７】
ところが、従来の家畜用敷物１００には掴みやすいところがないので、確実に家畜用敷物１００を把持することができなかった。そのため、家畜用敷物１００を手放してしまわないかという不安な状態で移動させることが多かった。また、家畜用敷物１００は柔軟なもので形成されていることから、家畜用敷物１００を持ち上げたときに形状が変形してしまうので、位置が不安定となってしまいペット２００を安全に運ぶことができないときがあった。また、家畜用敷物１００が変形してしまうとペット２００の脚などに予期せぬ方向から力を加えてしまうこともあり、ペット２００に負担を強いることにもなっていた。
【０００８】
本発明はこのような状況に鑑みてなされたものであり、家畜を家畜用敷物の上に安定して載せて移動させることができる家畜用敷物を提供することを目的とする。
【課題を解決するための手段】
【０００９】
本発明の第１の観点に係る家畜用敷物は、家畜の下に敷く家畜用敷物であって、矩形状をなす敷物本体の４隅部から突出した状態で取っ手が設けられていることを特徴とする。
本発明の第２の観点に係る家畜用敷物は、家畜の下に敷く家畜用敷物であって、矩形状をなす敷物本体と、前記敷物本体に当該敷物本体の４隅部から突出させた状態で対角線状に交差して着けられ、縦長の楕円形状をなす１対の支持紐とを備え、前記支持紐の敷物本体に着けられた部分が家畜を支持する支持部材としての機能を担う一方、前記支持紐の敷物本体の４隅部から突出した部分が取っ手としての機能を担うことを特徴とする。
【００１０】
この構成により、家畜を家畜用敷物の上に載せた状態のままで、取っ手を掴んで家畜用敷物を持ち上げて家畜を移動させることができる。
【００１１】
また、取っ手が支持部の両端部に設けられていることから、家畜用敷物を持ち上げたときに、家畜の体重を支持部材の全体に伝播させることができる。これにより、安定して家畜を支持して持ち上げることができる。
【００１２】
また、支持部は敷物本体に着けられていることから、支持部の両端部を引っ張り上げても支持部が敷物から外れることがない。これにより、家畜を移動させるときでも、常に家畜を柔軟性がある家畜用敷物の上に載せることができる。この結果、移動の際に家畜に余計な負担をかけないですむ。
【００１３】
また、本発明に係る家畜用敷物では、前記支持部は、１対の紐状の支持部材により構成され、前記支持部材が交差して前記敷物本体に着けられていることを特徴とする。
【００１４】
この構成により、家畜の体重を交差させた紐状の支持部材に伝播させることができる。また、支持部材の端部に設けられた取っ手を引き上げると、家畜用敷物を四方に均等な力で広げることができるので、家畜の体重が敷物本体にも分散される。したがって、家畜に支持部材が体に食い込むことがなくなるので、より快適な状態で家畜を移動させることができる。
【００１５】
また、本発明に係る家畜用敷物では、前記支持部材は、２本の平行な幅広の支持紐により構成されていることを特徴とする。
【００１６】
この構成により、家畜を幅広の２本の支持紐により支持することになるので、家畜にかかる反作用力が分散されることから、さらに、支持部材が家畜の体に食い込むことがなくなる。したがって、より快適な状態で家畜を移動させることができる。
【００１７】
また、本発明に係る家畜用敷物では、前記取っ手は、前記支持部を延在させて形成してあることを特徴とする。
【００１８】
この構成により、取っ手と支持部を結合する作業をなくすことができる。すなわち、取っ手と支持部が一体としたものを形成し、これを敷物本体に着けるだけで、家畜用敷物を製造することができる。この結果、製造コストを低減できる。
【００１９】
また、取っ手と支持部材とを一体としていることから結合部分がないので、結合部分での切断がなくなる。すなわち、取っ手が外れることがない頑丈な家畜用敷物とすることができる。
【００２０】
また、本発明に係る家畜用敷物では、前記敷物本体は、表側地と裏側地との周縁が接合されてなるカバー部と、該カバー部の内部に配置された弾力性を有する内部シートとを備えることを特徴とする。
【００２１】
この構成により、表側地と裏側地に夫々異なる特性を持たせることができるので、より機能的な家畜用敷物とすることができる。また、カバー部の中に弾力性がある内部シートを配置することにより、表側地と裏側地に夫々異なる特性を保持させることができ、また、敷物本体に適度な厚さを確保させて適度な弾力性を保持させることができる。
【００２２】
また、本発明に係る家畜用敷物では、前記裏側地は、強靭性を有することを特徴とする。この構成により、頑丈な家畜用敷物とすることができる。これにより、大型の家畜でも安定して移動させることができる。
【００２３】
また、本発明に係る家畜用敷物では、前記表側地は、通気性を有することを特徴とする。この構成により、家畜用敷物に載る家畜の発汗を妨げないので、より快適な環境を家畜に与えることができる。
【００２４】
また、本発明に係る家畜用敷物では、前記内部シートは、通気性を有する通気性シートと、弾力性を有する弾力性シートにより構成されてなることを特徴とする。
【００２５】
この構成により、家畜用敷物に弾力性を保持させながら、通気性を保持させることができる。
【００２６】
また、本発明に係る家畜用敷物では、前記敷物本体は、柔軟性を有する柔軟性シートが表側面に交換可能に備えられていることを特徴とする。
【００２７】
この構成により、敷物本体の表側面が柔軟となるので、家畜の居心地を改善させることができる。また、柔軟性シートは敷物本体の表側面を覆うので、敷物本体の表側面の汚れを防止する。また、柔軟性シートは交換可能であるので、柔軟性シートが汚れても簡単に取り替えることができる。
【００２８】
また、本発明に係る家畜用敷物では、前記敷物本体と前記柔軟性シートとは、同形状の矩形であり、前記柔軟性シートは、各角部に係合部が設けられ、該係合部は、前記柔軟性シートの角部を構成する２辺を伸縮性の係合紐により架橋してなることを特徴とする。
【００２９】
この構成により、柔軟性シートは敷物本体から簡単に外れないようになる。これにより、敷物本体で家畜が動いたとしても柔軟性シートは外れてしまうことが少なくなる。係合紐を敷物本体の角部に引っ掛けるだけで、簡単に柔軟性シートを敷物本体に敷くことができる。また、係合紐は伸縮性があることから、家畜が動くことによって柔軟性シートが引っ張られたとしても、簡単に係合が外れることがない。また、柔軟性シートが引っ張られても、その張力がなくなったときには、柔軟性シートは係合紐の伸縮性により元の位置に戻るので、柔軟性シートをあらためて装着し直す必要もない。
【００３０】
また、本発明に係る家畜用敷物では、前記柔軟性シートは、表側面がパイル地であることを特徴とする。
【００３１】
この構成により、さらに敷物本体の表側面の肌触りがよくなるので、家畜の居心地をさらに改善することができる。
【発明の効果】
【００３２】
本発明に係る家畜用敷物によれば、敷物本体に支持部が着けられ、支持部の両端部に取っ手が設けられていることから、家畜を家畜用敷物の上に載せた状態のままで、容易に家畜用敷物を持ち上げて家畜を移動させることができる。
【００３３】
また、本発明に係る家畜用敷物によれば、支持部は交差された支持部材により構成されていることから、家畜の体重が敷物本体にも分散されるので、家畜の負担が小さくなる。
【００３４】
また、本発明に係る家畜用敷物によれば、支持部材は２本の紐により構成されているので、家畜の体重がさらに分散されて、その分、支持部材が家畜の体に食い込むことがなくなる。
【００３５】
また、本発明に係る家畜用敷物によれば、取っ手は支持部を延在させて形成しているので、製造コストが低減される。また、頑丈な家畜用敷物とすることができる。
【００３６】
また、本発明に係る家畜用敷物によれば、表側地と裏側地との周縁が接合されてなるカバー部と、カバー部の内部に配置された内部シートから構成されることから、より機能的な家畜用敷物とすることができる。
【００３７】
また、本発明に係る家畜用敷物によれば、裏側地は強靭性を有するので、より頑丈な家畜用敷物とすることができる。
【００３８】
また、本発明に係る家畜用敷物によれば、表側地は通気性を有するので、家畜の発汗を妨げないで、より快適な環境を家畜に与えることができる。
【００３９】
また、本発明に係る家畜用敷物によれば、内部シートは、通気性を有する通気性シートと、弾力性を有する弾力性シートにより構成されてなることから、家畜用敷物に弾力性を保持させながら、通気性を保持させることができる。
【００４０】
また、本発明に係る家畜用敷物によれば、敷物本体は柔軟性を有する柔軟性シートが表側面に交換可能に備えられていることから、敷物本体の表側面が柔軟となるので、家畜の居心地を改善させることができる。また、敷物本体の表側面の汚れを防止する。また、柔軟性シートが汚れても簡単に取り替えることができる。
【００４１】
また、本発明に係る家畜用敷物によれば、柔軟性シートは伸縮性のある紐状の係合部により敷物本体と係合していることから、敷物本体から簡単に外れないようになっている。また、柔軟性シートが引っ張られても、その張力がなくなったときには、柔軟性シートは係合紐の伸縮性により元の位置に戻るので、柔軟性シートをあらためて装着し直す必要もない。
【００４２】
また、本発明に係る家畜用敷物によれば、柔軟性シートは、表側面がパイル地であることから、敷物本体の表側面の肌触りがよくなるので、家畜の居心地をさらに改善することができる。
【発明を実施するための最良の形態】
【００４３】
以下、本発明の実施の形態を図面に基づいて説明する。
【００４４】
＜実施の形態１＞
本実施の形態では、家畜の下に敷くペット用マットとして用いられる家畜用敷物について説明する。
【００４５】
図１は、本発明の実施の形態１に係る家畜用敷物の斜視図である。図２は、本発明の実施の形態１に係る家畜用敷物の断面図である。図３は、本発明の実施の形態１に係る家畜用敷物の裏面を示した斜視図である。
【００４６】
本発明の実施の形態１に係る家畜用敷物１０は、家畜の下に敷く敷物本体１１と、敷物本体１１に着けられた支持部３１と、支持部３１に夫々設けられた取っ手２１により主要部が構成されている。
【００４７】
敷物本体１１は、家畜が寝そべることができる程度の大きさであり、略矩形に形成されている。なお、敷物本体１１の形状は矩形でなくてもよい。また、敷物本体１１は、袋状のカバー部１２と、カバー部１２の中に配置された内部シート１３とにより主要部が構成されている。カバー部１２は、表側地１２ａと裏側地１２ｂとの周縁１２ｓが接合されて形成されている。なお、カバー部１２は、表側地１２ａと裏側地１２ｂの２枚の布地に限らず、２枚以上の布地により形成してもよい。また、表側地１２ａや裏側地１２ｂの一部に開閉可能な開口部を設けることにより、家畜用敷物１０を内部シート１３が容易に出し入れできるものとしてもよい。
【００４８】
表側地１２ａは通気性の機能が高いポリエステル製の布で形成されており、抗菌処理、または、消臭処理されている。また、裏側地１２ｂは強靭性の高いポリエステル製の布で形成されており、抗菌処理、または、消臭処理されている。内部シート１３は、弾力性の高い多孔性ウレタン樹脂により形成されている。
【００４９】
このような構成とすることにより、敷物本体１１は、表側地１２ａと裏側地１２ｂに夫々異なる特性を保持させることができ、また、弾力性のある内部シート１３をカバー部１２の中に配置することにより、敷物本体１１に適度な厚さを確保させて適度な弾力性を保持させることができる。
【００５０】
また、表側地１２ａは通気性を有することから、家畜用敷物１０に載る家畜の発汗を妨げないので、より快適な環境を家畜に与えることができる。裏側地１２ｂは、強靭性を有する頑丈な布で形成されているので、大型の家畜でも家畜用敷物１０の上に載せたまま安心して持ち上げることができ、また、地面に擦り付て引き摺っても破れることはない。
【００５１】
また、カバー部１２は、抗菌処理されていることから、敷物本体１１での雑菌の繁殖が防止されるので、家畜の健康状態を維持させることができる。また、カバー部１２は、消臭処理されていることから、家畜から発生する臭気が消臭されるので、家畜が長時間家畜用敷物１０の上にいる状態でも周囲の臭気環境を悪化させない。
【００５２】
支持部３１は、家畜用敷物１０の上に載る家畜を支持し、家畜の体重を家畜用敷物１０の全体に分散させるものである。
【００５３】
具体的には、支持部３１は、一対の紐状の支持部材３１ａによりなり、支持部材３１ａはポリエステル製の幅広の強靭な幅広の紐（支持紐）が２本平行に並列されたものとして構成されている。第１の支持部材３１ａは、敷物本体１１の裏側面に対角線上に縫着されている。第２の支持部材３１ａは、第１の支持部材３１ａと交差するようにして、敷物本体１１の裏側面に対角線上に縫着されている。
【００５４】
なお、支持部材３１ａは２本の紐である必要はなく、幅広の１本の紐により形成してもよいし、また、３本以上の紐を並列させることにより構成してもよい。また、本実施の形態では、各支持部材３１ａは裏側面の対角線上に配置させているが、このように対角線上に配置させないで、角部１５から位置をずらしたところに支持部材３１ａの端部３１ｅを配置させてもよい。
【００５５】
支持部材３１ａの構成は、家畜の体重や敷物本体１１の大きさ、あるいは、敷物本体１１との縫着の行いやすさ等を考慮して適宜変更されるものである。
【００５６】
取っ手２１は、支持部材３１ａの端部３１ｅ、３１ｅに設けられている。取っ手２１が支持部材３１ａの端部３１ｅに設けられていることにより、家畜用敷物１０の引き上げは容易なものとなっている。
【００５７】
取っ手２１は、２本の紐（支持紐）で形成された支持部材３１ａの端部３１ｅを延在させ、２本の紐の端３１ｈｅ、３１ｈｅを結合させて２本の紐と一体的に形成されている。具体的には、幅広の輪に形成された紐を縦長の楕円形状に変形し、端部３１ｈｅ、３１ｈｅを敷物本体１１の角部１５から突出させた状態で敷物本体１１の裏側面に縫着することにより、支持部材３１ａと取っ手２１が形成される。すなわち、輪に形成された紐において、敷物本体１１の裏側面に縫着された部分は支持部材３１ａとしての機能を担い、また、敷物本体１１の角部１５から突出している部分は取っ手２１としての機能を担うことになる。
【００５８】
このような構成とすることにより、取っ手２１と支持部材３１ａを結合する作業をなくすことができる。すなわち、取っ手２１と支持部材３１ａとが一体としたものを形成し、これを敷物本体１１に縫着するだけで、家畜用敷物１０を製造することができる。この結果、製造コストを低減できる。
【００５９】
また、取っ手２１と支持部材３１ａが一体としていることから、結合部分がないので、結合部分での切断がなくなる。すなわち、取っ手２１が外れることがない頑丈な家畜用敷物１０とすることができる。
【００６０】
なお、取っ手２１は、プラスチック部材や金属部材等により形成してもよい。変形しにくい取っ手２１を各支持部材３１ａの端部３１ｅに接合することによって、把持しやすい取っ手２１を有した家畜用敷物１０を提供することができる。すなわち、体重の重い家畜を移動する場合には、取っ手２１が紐のような材料で形成されていると、紐の形状が変形するので手に紐が食い込んでしまうことがあるが、取っ手２１として変形しにくいものを用いることにより、手に加わる負担を軽減させることができる。
【００６１】
次に、本発明の実施の形態１に係る家畜用敷物１０に家畜を載せたままで、家畜を移動させるときの状態について説明する。
【００６２】
図４は、本発明の実施の形態１に係る家畜用敷物に家畜を載せて持ち上げた状態の概略斜視図である。
【００６３】
まず、家畜用敷物１０の両側に人が向かい合うようにして立ち、取っ手２１を掴んで引き上げる。取っ手２１を引き上げると、家畜２００が支持部材３１ａに支持されながら持ち上げられる。家畜２００は支持部材３１ａにより支持されるので、家畜２００を安定して移動させることができる。
【００６４】
すなわち、家畜用敷物１０には、取っ手２１が設けられていることから、家畜２００を家畜用敷物１０の上に載せた状態のままで、取っ手２１を掴んで家畜用敷物１０を持ち上げることができるので、家畜２００を容易に移動させることができる。
【００６５】
また、取っ手２１が支持部材３１ａの端部３１ｅに設けられていることから、家畜用敷物１０を持ち上げたときに、家畜２００の体重を支持部３１全体に伝播させることができる。これにより、安定して家畜２００を支持して持ち上げることができる。
【００６６】
また、紐状の支持部材３１ａを交差させているので、家畜２００の体重を家畜用敷物１０の対角線上に伝播させることができる。これにより、家畜用敷物１０を四方に均等な力で広げることができるので、家畜２００の体重は敷物本体１１に対して適度に分散される。したがって、支持部材３１ａが家畜２００の体に食い込むことはなくなるので、より快適な状態で家畜２００を移動させることができる。
【００６７】
また、支持部材３１ａは２本の平行な幅広の紐により構成されていることから、家畜２００にかかる反作用力が分散されるので、支持部材３１ａが家畜２００の体に食い込むことは殆どなくなる。
【００６８】
また、支持部材３１ａ（支持部３１）は敷物本体１１の裏側面に着けられていることから、支持部材３１ａの両端部３１ｅ、３１ｅが引っ張られても支持部３１が敷物から外れることがない。これにより、家畜２００を移動させるときでも、常に家畜２００を柔軟性を有する家畜用敷物１０の上に載せることができ、移動の際に家畜２００に余計な負担をかけないですむ。
【００６９】
また、家畜用敷物１０に家畜２００が寝ているときに寝返りをさせるときでも、取っ手２１を引っ張り上げることで、簡単に家畜２００を寝返りさせることができる。
【００７０】
すなわち、老化した家畜２００は自ら寝返りすることができないので床擦れを生じさせることがある。そのため、度々家畜２００を寝返りさせる必要がある。このような場合に、本実施の形態による家畜用敷物１０を使用すれば、取っ手２１を引き上げるだけで、支持部材３１ａを介して家畜２００を回転させることができるので、簡単に家畜２００を寝返りさせることができる。
【００７１】
＜実施の形態２＞
本実施の形態では、特に家畜２００（図４参照）が休息するための家畜ベッドとして用いられる家畜用敷物について説明する。
【００７２】
図５は、本発明の実施の形態２に係る家畜用敷物の上方からみた斜視図である。図６は、本発明の実施の形態２に係る家畜用敷物の下方からみた斜視図である。図７は、本発明の実施の形態２に係る家畜用敷物の断面図である。
【００７３】
本発明の実施の形態２に係る家畜用敷物１０は、家畜２００の下に敷く敷物本体１１と、敷物本体１１に着けられた支持部３１と、支持部３１に夫々設けられた取っ手２１と、敷物本体１１の表側面に覆うように設けられた柔軟性シート４１により主要部が構成されている。
【００７４】
敷物本体１１は、袋状のカバー部１２と、カバー部１２の中に配置された内部シート１３とにより主要部が構成されている。カバー部１２の構成は、実施の形態１と略同様である。ここでは、内部シート１３の構成について説明する。
【００７５】
内部シート１３は、通気性を有する通気性シート１３ａと弾力性を有する弾力性シート１３ｂとが２層に積層された構造となっている。
【００７６】
通気性シート１３ａは、空孔容積率が高く、空孔が連結して外部に通ずるように内在している多孔性のウレタン樹脂により形成されている。すなわち、通気性シート１３ａは、内部の空気が外部へ排出しやすいものにより形成されている。また、通気性シート１３ａは、柔軟なシートであるため、家畜２００を全体的に保持し、体圧を分散させる効果を有している。これにより、家畜２００の床擦れを予防する。
【００７７】
弾力性シート１３ｂは、多孔性のウレタン樹脂により形成され、家畜２００を支持する程度の弾力性を有している。これにより、敷物本体１１の形状を安定させている。また、家畜２００の体重により厚みがなくなるほど押し潰されることもないので、家畜２００は、弾力性シート１３ｂを介して地面から離間される。これにより、家畜２００の底冷えが防止される。
【００７８】
すなわち、このような２層構造により、家畜用敷物１０は、通気性が確保され、体圧分散により床擦れを予防するものでありながら、適度な弾力性により安定した形状を保持して家畜２００の底冷えを防止するものとなっている。
【００７９】
支持部３１および取っ手２１の構成は、実施の形態１と同様であるので説明を省略する。
【００８０】
柔軟性シート４１は、敷物本体１１の表面を覆うものである。これにより、敷物本体１１の表面の肌触りがよくなり、家畜２００の居心地が改善される。また、柔軟性シート４１は、敷物本体１１の表側面の汚れを防止する役割も果たす。
【００８１】
また、柔軟性シート４１は、敷物本体１１と略同形状の矩形に形成されている。また、柔軟性シート４１は、敷物本体１１に簡単に取り付け取り外しできるように、各角部４５に係合部４２が設けられている。係合部４２は、角部４５を構成する２辺を伸縮性の係合紐により架橋して形成されている。各係合紐を敷物本体１１の角部４５に引っ掛けることにより、柔軟性シート４１が敷物本体１１に装着される。
【００８２】
柔軟性シート４１は、敷物本体１１と４隅において係合部４２により係合しているので、簡単に外れることがなくなる。すなわち、敷物本体１１で家畜２００が動いたとしても柔軟性シート４１は外れてしまうことが殆どない。また、係合部４２は伸縮性の係合紐により形成されていることから、家畜２００が動いて柔軟性シート４１が引っ張られたとしても、係合紐が伸び縮みするだけで簡単に係合が外れることがない。また、柔軟性シート４１が引っ張られて位置がずれたとしても、その張力がなくなったときには、柔軟性シート４１は係合紐の伸縮性により元の配置に戻るので、柔軟性シート４１をあらためて装着し直す必要もない。
【００８３】
また、柔軟性シート４１は簡単に取り外すことができる構成となっているので、汚れた場合には簡単に取り替えることができる。
【００８４】
図８は、本発明の実施の形態２に係る柔軟性シートの拡大断面図である。
【００８５】
柔軟性シート４１は、吸湿性が高く柔軟な綿などの繊維により織成されている。表側面４１ａは、家畜２００の体毛が引っ掛からないように加工されている。具体的には、表側面４１ａはパイル地に加工されている。すなわち、表側面４１ａは、家畜２００の肌と接触する面であり、体毛が直接触れる面であるため、体毛が引っ掛からないような繊維の配列状態（繊維がループ状に織成されて形成された状態ではなく、一方の方向にのみ繊維が配列している状態）に加工されたものとなっている。
【００８６】
また、柔軟性シート４１は、抗菌処理されている。これにより、家畜用敷物１０の雑菌の繁殖を防止することができるので、家畜２００の健康状態を維持させることができる。また、柔軟性シート４１は、消臭処理されている。これにより、家畜２００から発生する臭気が消臭されるので、家畜２００が長時間敷物本体１１の上にいる状態であっても、周囲の臭気環境を悪化させない。
【００８７】
なお、本実施の形態は実施の形態１に係る家畜用敷物１０にも適用してもよい。
【図面の簡単な説明】
【００８８】
【図１】本発明の実施の形態１に係る家畜用敷物の斜視図である。
【図２】本発明の実施の形態１に係る家畜用敷物の断面図である。
【図３】本発明の実施の形態１に係る家畜用敷物の裏面を示した斜視図である。
【図４】本発明の実施の形態１に係る家畜用敷物に家畜を載せて持ち上げた状態の概略斜視図である。
【図５】本発明の実施の形態２に係る家畜用敷物の上方からみた斜視図である。
【図６】本発明の実施の形態２に係る家畜用敷物の下方からみた斜視図である。
【図７】本発明の実施の形態２に係る家畜用敷物の断面図である。
【図８】本発明の実施の形態２に係る柔軟性シートの拡大断面図である。
【図９】従来の家畜用敷物に家畜を載せて持ち上げた状態の概略図である。
【符号の説明】
【００８９】
１０          家畜用敷物
１１          敷物本体
１２          カバー部
１２ａ        表側地
１２ｂ        裏側地
１２ｓ        周縁
１３          内部シート
１３ａ        通気性シート
１３ｂ        弾力性シート
１５          角部
２１          取っ手
３１          支持部
３１ａ        支持部材
３１ｅ        端部
４１          柔軟性シート
４１ａ        表側面
４２          係合部
４５          角部
【図１】
0004435081.tif 000002
【図２】
0004435081.tif 000003
【図３】
0004435081.tif 000004
【図４】
0004435081.tif 000005
【図５】
0004435081.tif 000006
【図６】
0004435081.tif 000007
【図７】
0004435081.tif 000008
【図８】
0004435081.tif 000009
【図９】
0004435081.tif 000010